(57)【要約】【課題】長尺状の筐体と、複数の発光素子が配置された長尺状の基板とを備える照明装置であって、信頼性の高い照明装置を提供すること。【解決手段】照明装置１０であって、長手方向の一端に第一開口部５５を有し、長手方向の他端に第二開口部５６を有する長尺状の筐体５０と、筐体５０の第一開口部５５に取り付けられた第一端部カバー１７０と、筐体５０に収容され、複数の発光素子１２１が配置された長尺状の基板１０１と、基板１０１の、第一開口部５５側の端部に配置された第一コネクタ１５０と、第一端部カバー１７０及び第一コネクタ１５０を電気的に接続する電線２２０とを備え、第一コネクタ１５０は、電線２２０の端部を保持する第一保持部１５２であって、電線２２０を第一コネクタ１５０から第二開口部５６側に突出した状態で保持する第一保持部１５２を有する。【選択図】図７
2018085209.tif 000002
【特許請求の範囲】
【請求項１】
長手方向の一端に第一開口部を有し、前記長手方向の他端に第二開口部を有する長尺状の筐体と、
前記筐体の前記第一開口部に取り付けられた第一端部カバーと、
前記筐体に収容され、複数の発光素子が配置された長尺状の基板と、
前記基板の、前記第一開口部側の端部に配置された第一コネクタと、
前記第一端部カバーを介して前記第一コネクタと外部の機器とを電気的に接続する第一電線とを備え、
前記第一コネクタは、前記第一電線の端部を保持する第一保持部であって、前記第一電線を前記第一コネクタから前記第二開口部側に突出した状態で保持する第一保持部を有する
照明装置。
【請求項２】
前記第一保持部は、前記第一電線を前記第一コネクタから前記長手方向に沿って、かつ、前記第二開口部側に突出した状態で保持する
請求項１記載の照明装置。
【請求項３】
前記第一電線は、前記第一電線の一部が、前記筐体の前記基板に対向する内面に当接した状態で配置されている
請求項１または２に記載の照明装置。
【請求項４】
さらに、
前記筐体の、前記第二開口部に取り付けられた第二端部カバーと、
前記基板の、前記第二開口部側の端部に配置された第二コネクタと、
前記第二端部カバーを介して前記第二コネクタと外部の機器とを電気的に接続する第二電線とを備え、
前記第一端部カバーは、受電部を有し、
前記複数の発光素子は、前記第一コネクタを介して供給される、前記受電部が受け取った電力を用いて発光し、
前記第二端部カバーは、前記第一端部カバーから前記第一コネクタ及び前記第二コネクタを介して供給される電力を外部に出力する出力部を有する
請求項１〜３のいずれか１項に記載の照明装置。
【請求項５】
前記第二コネクタは、前記第二電線の端部を保持する第二保持部であって、前記第二電線を前記第二コネクタから前記第一開口部側に突出した状態で保持する第二保持部を有する
請求項４記載の照明装置。
【請求項６】
前記第一電線は、一端が前記第一コネクタの前記第一保持部に保持されており、他端が、前記第一端部カバーから外部に露出している
請求項１〜３のいずれか１項に記載の照明装置。
【請求項７】
前記基板は、前記複数の発光素子が前記基板の長手方向に並んで配置された発光素子領域、及び、前記基板の短手方向において前記発光素子領域と隣り合う回路領域であって、複数の回路部品が前記長手方向に並んで配置された回路領域を有し、
前記第一コネクタは、前記回路領域における、前記第一開口部側の端部に配置されている
請求項１〜６のいずれか１項に記載の照明装置。
【発明の詳細な説明】
【技術分野】
【０００１】
本発明は、長尺状の筐体と、複数の発光素子が配置された長尺状の基板とを備える照明装置に関する。
【背景技術】
【０００２】
近年、ＬＥＤ等の固体発光素子は、高効率及び長寿命であることから、各種ランプの新しい光源として期待されており、ＬＥＤを光源とするＬＥＤランプの研究開発が進められている。
【０００３】
このようなＬＥＤランプの一つとして、長尺状の筐体を備えるＬＥＤランプがある。例えば、特許文献１には、外管体と、外管体に収容された、複数のＬＥＤを有するＬＥＤモジュール（発光モジュール）とを備える照明装置が開示されている。
【先行技術文献】
【特許文献】
【０００４】
【特許文献１】特開２００９−０４３４４７号公報
【発明の概要】
【発明が解決しようとする課題】
【０００５】
上記従来の照明装置のような、長尺かつ筒状の筐体と、複数の発光素子が配置された長尺状の基板とを備える照明装置の場合、例えば、基板の両端のコネクタと、筐体の両端のカバー（口金等）との接続部分に問題が生じる可能性がある。具体的には、例えば、左右に長尺状の照明装置において、基板の右端部のコネクタと、筐体の右端部のカバーとを接続する電線の長さは、照明装置の完成後におけるコネクタとカバーとの距離に対応する長さに加え、組み立ての可能化または容易化等のための長さを有している。つまり、電線には余剰分が存在する。この電線の余剰分は、右端部のカバーを筐体の右端に取り付けた状態において筐体内で撓み、その結果、コネクタに、基板からはがす方向の力を与える場合がある。これにより、例えば、コネクタと基板との接続不良等の問題が生じ得る。
【０００６】
本発明は、上記従来の課題を考慮し、長尺状の筐体と、複数の発光素子が配置された長尺状の基板とを備える照明装置であって、信頼性の高い照明装置を提供することを目的とする。
【課題を解決するための手段】
【０００７】
本発明の一態様に係る照明装置は、長手方向の一端に第一開口部を有し、前記長手方向の他端に第二開口部を有する長尺状の筐体と、前記筐体の前記第一開口部に取り付けられた第一端部カバーと、前記筐体に収容され、複数の発光素子が配置された長尺状の基板と、前記基板の、前記第一開口部側の端部に配置された第一コネクタと、前記第一端部カバーを介して前記第一コネクタと外部の機器とを電気的に接続する第一電線とを備え、前記第一コネクタは、前記第一電線の端部を保持する第一保持部であって、前記第一電線を前記第一コネクタから前記第二開口部側に突出した状態で保持する第一保持部を有する。
【発明の効果】
【０００８】
本発明によれば、長尺状の筐体と、複数の発光素子が配置された長尺状の基板とを備える照明装置であって、信頼性の高い照明装置を提供することができる。
【図面の簡単な説明】
【０００９】
【図１】実施の形態に係る照明装置の外観を示す斜視図である。
【図２】実施の形態に係る照明装置の分解斜視図である。
【図３】実施の形態に係る発光モジュールの構成概要を示す平面図である。
【図４】実施の形態に係る照明装置の組み立て手順を示す第１の図である。
【図５】実施の形態に係る照明装置の組み立て手順を示す第２の図である。
【図６】実施の形態に係る照明装置の組み立て手順を示す第３の図である。
【図７】実施の形態に係る照明装置の内部における電線の状態例を示す図である。
【図８】比較例に係る照明装置の内部における電線の状態例を示す図である。
【図９】実施の形態の変形例１に係る照明装置の一部の構成を示す図である。
【図１０】実施の形態の変形例２に係る照明装置が備える発光モジュールの構成概要を示す平面図である。
【発明を実施するための形態】
【００１０】
以下、実施の形態に係る照明装置について、図面を参照しながら説明する。なお、以下に説明する実施の形態及びその変形例のそれぞれは、本発明の一具体例を示すものである。したがって、以下の実施の形態及び変形例で示される、数値、形状、材料、構成要素、構成要素の配置位置及び接続形態、工程、工程の順序などは、一例であって本発明を限定する主旨ではない。よって、以下の実施の形態及び変形例における構成要素のうち、本発明の最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［照明装置の概要］
まず、本発明の実施の形態に係る照明装置１０の概要について、図１及び図２を用いて説明する。
【００１３】
図１は、実施の形態に係る照明装置１０の外観を示す斜視図である。図２は、実施の形態に係る照明装置１０の分解斜視図である。
【００１４】
なお、図１及び図２では、発光部１２０からの光が、主に上方（Ｚ軸プラス方向）及び手前側（Ｙ軸マイナス方向）に放出される姿勢で照明装置１０が図示されている。また、説明の便宜上、上下方向とＺ軸方向とが一致し、照明装置１０の長手方向とＸ軸方向とが一致するように照明装置１０が図示されている。しかし、照明装置１０の使用時の姿勢は、これらの図に限定されない。例えば、照明装置１０は、長手方向が水平方向に対して傾いた姿勢で照明装置１０が壁または支柱等に固定されてもよい。
【００１５】
図１及び図２に示すように、本実施の形態に係る照明装置１０は、長尺状の筐体５０と、筐体５０に収容され、複数の発光素子１２１が配置された長尺状の基板１０１とを備える。
【００１６】
具体的には、基板１０１及び複数の発光素子１２１は、発光モジュール１００の一部として筐体５０の内部に配置されている。
【００１７】
発光モジュール１００は、照明装置１０の外部から供給される電力によって光を発し、発光モジュール１００から発せられた光は、筐体５０が有する光源カバー５２を透過して外部に放出される。つまり、照明装置１０から照明光が放出される。
【００１８】
［筐体］
本実施の形態に係る筐体５０は、発光モジュール１００が取り付けられる本体部５１と、透光性を有する光源カバー５２とを有する。
【００１９】
本体部５１は、例えば、ポリカーボネート（ＰＣ）等の樹脂、または、アルミニウム合金等の金属で構成された、遮光部材であり、内面の一部に、発光モジュール１００の基板１０１が配置される基板配置面５８を有する。光源カバー５２は、透光性を有する樹脂材料を用いて形成されている。光源カバー５２の材料は、例えば、ＰＣ、アクリル（ＰＭＭＡ）、ポリエチレンテレフタレート（ＰＥＴ）又はポリ塩化ビニルなどである。
【００２０】
光源カバー５２は、光拡散性（光散乱性）を有してもよい。これにより、光源カバー５２に入射する光を拡散（散乱）させることができ、光源カバー５２の全体から略均一に光を外部に取り出すことができる。この場合、光源カバー５２は、例えば、乳白色であり、光拡散粒子を分散させた樹脂材料によって形成することができる。また、光源カバー５２の内面又は外面に乳白色の光拡散膜を形成してもよく、光源カバー５２に複数の光拡散ドット又は微小凹凸（シボ）を形成してもよい。
【００２１】
筐体５０は、図１及び図２に示すように、長手方向の一端に第一開口部５５を有し、長手方向の他端に第二開口部５６を有する。第一開口部５５には、第一端部カバー１７０が配置され、第二開口部５６には、第二端部カバー１８０が配置される。なお、第一端部カバー１７０及び第二端部カバー１８０のそれぞれは、例えば、図示しない１以上のネジによって筐体５０に固定される。
【００２２】
本実施の形態では、第一端部カバー１７０は、外部からの電力を受ける受電部１７８を有し、第二端部カバー１８０は、外部に電力を出力する出力部１８８を有する。また、第一端部カバー１７０は、電線２１０を介して発光モジュール１００と電気的に接続され、第二端部カバー１８０は、電線２２０を介して発光モジュール１００と電気的に接続されている。なお、受電部１７８及び出力部１８８のそれぞれはともに、電線２１０または２２０と導通する金属部材を有している。
【００２３】
例えば、外部からの交流電力が、第一端部カバー１７０の受電部１７８を介して発光モジュール１００に与えられ、これにより発光モジュール１００が光を放出する。また、受電部１７８が受けた交流電力は、例えば、発光モジュール１００の基板１０１に設けられた金属配線を介して第二端部カバー１８０の出力部１８８に与えられる。これにより、例えば出力部１８８に接続された外部の機器は、出力部１８８から出力される交流電力を用いて動作することができる。
【００２４】
なお、本実施の形態では、第一端部カバー１７０のＸ軸マイナス側の面には、他の照明装置１０が備える出力部１８８が挿入される孔が設けられており、これにより、複数の照明装置１０を電気的及び機械的に連結することができる。
【００２５】
つまり、ある１つの照明装置１０（照明装置Ａ）の出力部１８８を、他の照明装置１０（照明装置Ｂ）の受電部１７８に挿入することで、照明装置Ａと照明装置Ｂとを連結することができる。なお、この場合、照明装置Ａ及びＢの一方は、他方にとっての外部の機器である。この状態において、照明装置Ｂは、照明装置Ａの出力部１８８から供給される交流電力を用いて照明光を放出することができる。すなわち、複数の照明装置１０を連結することで、さらに長い一台の照明装置を、疑似的に構成することが可能である。
【００２６】
［発光モジュール］
次に、図１及び図２を参照しながら、さらに図３を用いて、実施の形態に係る発光モジュール１００について説明する。図３は、実施の形態に係る発光モジュール１００の構成概要を示す平面図である。
【００２７】
発光モジュール１００は、基板１０１と、基板１０１に設けられた発光部１２０及び駆動回路１３０とを有する。本実施の形態では、発光部１２０は、基板１０１の長手方向（筐体５０の長手方向と同じくＸ軸方向）に並べられた複数の発光素子１２１を含み、駆動回路１３０は、基板１０１の長手方向に並べられた複数の回路部品１３１を含む。
【００２８】
本実施の形態では、基板１０１は、図３に示すように、基板１０１の短手方向（Ｙ軸方向）に並んで配置された発光素子領域１０２と回路領域１０３とを有する。
【００２９】
基板１０１の発光素子領域１０２には、複数の発光素子１２１が並んで配置されており、これら複数の発光素子１２１により発光部１２０が構成されている。また、回路領域１０３には、複数の回路部品１３１が並んで配置されており、これら複数の回路部品１３１により駆動回路１３０が構成されている。
【００３０】
複数の発光素子１２１のそれぞれは、例えば、パッケージ化された表面実装（ＳＭＤ：Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子である。複数の発光素子１２１の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、例えば、青色ＬＥＤチップからの青色光を励起光として蛍光発光するＹＡＧ（イットリウム・アルミニウム・ガーネット）等の黄色蛍光体が、波長変換材として含有されている。
【００３１】
このように、複数の発光素子１２１の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子１２１から白色光が出射される。
【００３２】
駆動回路１３０は、本実施の形態では、外部から供給される交流電力を直流電力に変換する電源回路と、発光部１２０の発光状態を制御する制御回路とを含む。
【００３３】
具体的には、複数の回路部品１３１には、電源回路を構成する１以上の回路部品１３１（電源用回路部品）が含まれている。電源用回路部品としての回路部品１３１のそれぞれは、例えば、電解コンデンサ又はセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。
【００３４】
また、複数の回路部品１３１には、制御回路を構成する１以上の回路部品１３１（制御用回路部品）が含まれている。制御用回路部品としての回路部品１３１のそれぞれは、コンデンサ等の容量素子、抵抗素子、ＭＯＳＦＥＴ等のスイッチング素子、ダイオード、または、集積回路（ＩＣ）等である。
【００３５】
基板１０１は、複数の発光素子１２１及び複数の回路部品１３１を実装するためのプリント配線基板であり、長尺矩形状に形成されている。本実施の形態では、基板１０１の厚み方向の両面のうちの一方の面（図２、図３における主面１０１ａ）のみに、パターン形成された金属配線（図示せず）が設けられている。複数の発光素子１２１及び複数の回路部品１３１は、この金属配線にはんだ付けされている。複数の発光素子１２１は、金属配線により例えば直列に接続されており、駆動回路１３０から出力される電流が金属配線を介して複数の発光素子１２１に供給される。
【００３６】
基板１０１の種類としては、例えば、ＣＥＭ３（Ｃｏｍｐｏｓｉｔｅ  ｅｐｏｘｙ  ｍａｔｅｒｉａｌ−３）基板等のガラスコンポジット基板、樹脂基板、メタルベース基板、セラミック基板、又は紙フェノール基板等が採用される。
【００３７】
ここで、本実施の形態に係る基板１０１は、基板１０１の裏面（主面１０１ａと反対側の面）が、リード線または金属配線等の導電物がなく、かつ、フラットな形状であるため、裏面を筐体５０の基板配置面５８と面接触させた状態で配置することができる。これにより、駆動回路１３０及び発光部１２０で発生した熱は、効率よく筐体５０に伝導される。つまり、発光モジュール１００で発生した熱の放熱が効率よく行われる。
【００３８】
なお、基板１０１の裏面はフラットであることは必須ではなく、例えば、基板１０１の裏面からリード線等が突出していてもよい。この場合、基板１０１は、基板配置面５８に設けられた複数のボスによって、基板１０１の裏面と基板配置面５８とを離間した状態で、基板配置面５８に配置されてもよい。
【００３９】
駆動回路１３０は、筐体５０の第一端部カバー１７０から電線２１０を介して交流電力を受け取り、受け取った交流電力を発光部１２０に応じた特性の直流電力に変換する。また、駆動回路１３０は、発光部１２０に供給する電流を制御することで発光部１２０の発光状態を制御する。本実施の形態では、駆動回路１３０による制御によって発光部１２０から放出される光量の調整（調光）がなされる。すなわち、本実施の形態に係る駆動回路１３０は、簡単にいうと、交流から直流への変換機能と調光機能とを有している。
【００４０】
なお、駆動回路１３０は、調光機能を有していなくてもよい。つまり、基板１０１に配置された複数の回路部品１３１の全てが、発光部１２０（複数の発光素子１２１の各々）を発光させるための電力を生成するための電源回路を構成する部品であってもよい。つまり、駆動回路１３０は、少なくとも当該電源回路としての機能を備えていればよい。
【００４１】
また、駆動回路１３０は調色機能を有してもよい。例えば、複数の発光素子１２１の中に、互いに色温度の異なる発光素子１２１を含む場合を想定する。この場合、駆動回路１３０は、例えば、色温度が高い１以上の発光素子１２１の光出力、及び、色温度が低い１以上の発光素子１２１の光出力を制御することで、発光部１２０の発光色を変化させてもよい。
【００４２】
上記構成を有する駆動回路１３０には、コネクタを介して電力が供給される。具体的には、本実施の形態では、基板１０１の、筐体５０の第一開口部５５側の端部に、第一コネクタ１５０が配置されている。また、基板１０１の、筐体５０の第二開口部５６側の端部に第二コネクタ１６０が配置されている。
【００４３】
第一コネクタ１５０は、第一端部カバー１７０を介して、電線２１０によって外部の機器と接続される。第二コネクタ１６０は、第二端部カバー１８０を介して、電線２１０によって外部の機器と接続される。
【００４４】
本実施の形態では、第一コネクタ１５０と第一端部カバー１７０とが電線２１０によって電気的に接続され、第二コネクタ１６０と第二端部カバー１８０とが電線２２０によって電気的に接続される。つまり、本実施の形態では、第一端部カバー１７０に機械的に接続された外部の機器と、第一コネクタ１５０とが電気的に接続される。また、第二端部カバー１８０に機械的に接続された外部の機器と、第二コネクタ１５６とが電気的に接続される。なお、電線２１０は第一電線の一例であり、電線２２０は第二電線の一例である。また、なお、これら「外部の機器」としては、他の照明装置１０、電源装置、及び、その他の電力の供給元または供給先である電気機器などが例示される。
【００４５】
具体的には、第一コネクタ１５０は、電線２１０の端部２１１を保持する第一保持部１５２を有する。第一保持部１５２は、例えば、電線２１０の端部２１１を挟み込んで保持する速結端子等の導電部材を有している。第二コネクタ１６０も同様に、電線２２０の端部２２１を保持する第二保持部１６２を有している。なお、「端部２１１」という場合、電線２１０の端部２１１に含まれる２本の露出した芯線の少なくとも一方を指す。「端部２２１」についても同様であり、電線２２０の端部２２１に含まれる２本の露出した芯線の少なくとも一方を指す。
【００４６】
本実施の形態では、第一端部カバー１７０の受電部１７８が、外部から供給される交流電力を受け取り、受電部１７８から第一コネクタ１５０に、電線２１０を介して交流電力が供給される。さらに第一コネクタ１５０を介して駆動回路１３０に交流電力が供給される。なお、第一コネクタ１５０及び第二コネクタ１６０のそれぞれは、駆動回路１３０の一部を構成する回路部品として扱われてもよい。
【００４７】
また、本実施の形態では、上述のように、第一端部カバー１７０の受電部１７８が受けた交流電力は、第二コネクタ１６０を介して第二端部カバー１８０の出力部１８８に供給される。
【００４８】
ここで、第一コネクタ１５０は、図２及び図３に示すように、電線２１０によって接続される第一端部カバー１７０とは逆の方向から電線２１０の端部２１１が挿入される姿勢で基板１０１に配置されている。これにより、電線２１０から第一コネクタ１５０に、基板１０１からはがす方向の力が与えられる可能性が低減される。この効果について、図４〜図８を用いて説明する。
【００４９】
［照明装置の組み立て手順］
図４〜図６は、実施の形態に係る照明装置１０の組み立て手順を示す第１〜第３の図である。図７は、実施の形態に係る照明装置１０の内部における電線２１０の状態例を示す図である。図８は、比較例に係る照明装置の内部における電線２１０の状態例を示す図である。なお、図４〜図７では、本実施の形態に係る照明装置１０の特徴を明確にするために、基板１０１に配置されている複数の発光素子１２１の一部及び複数の回路部品１３１の図示は省略されている。また、図５〜図８では、筐体５０の内部の構造を表すために、筐体５０は、外形が点線で図示されている。
【００５０】
本実施の形態に係る照明装置１０の組み立て工程（製造工程）には、例えば、図４〜図６に示す手順が含まれる。
【００５１】
具体的には、図４に示すように、基板１０１の第一コネクタ１５０に、第一端部カバー１７０から延設された電線２１０の端部２１１が挿入される。つまり、電線２１０の端部２１１が第一コネクタ１５０の第一保持部１５２に保持される。
【００５２】
その後、図５に示すように、基板１０１を含む発光モジュール１００が、第一開口部５５から、筐体５０の内部に挿入される。このとき、例えば、筐体５０の基板配置面５８上をスライドしながら、発光モジュール１００が挿入される。
【００５３】
ここで、基板１０１の第二開口部５６側の第二コネクタ１６０に、第二端部カバー１８０から延設された電線２２０の端部２２１を差し込む場合、少なくとも第二コネクタ１６０の一部を筐体５０から外部に露出させる必要がある。つまり、少なくとも第二コネクタ１６０の一部が筐体５０の外部に露出するまで、基板１０１（発光モジュール１００）を第二開口部５６から引き出す必要がある。
【００５４】
そのため、第一端部カバー１７０と第一コネクタ１５０とを接続する電線２１０は、照明装置１０の完成後における第一コネクタ１５０と第一端部カバー１７０との距離に対応する長さに加え、基板１０１の一部を第二開口部５６から引き出すための長さ（余剰分の長さ）を有している。
【００５５】
その結果、図６に示すように、第二コネクタ１６０への電線２２０の端部２２１の差し込み作業を容易に行うことができる程度に、基板１０１の第二コネクタ１６０側の端部を、筐体５０から引き出すことができる。
【００５６】
その後、上記差し込み作業が行われ、一部が筐体５０から引き出された状態の基板１０１は、筐体５０の基板配置面５８上の正規の位置まで戻される。さらに、第二端部カバー１８０が、第二開口部５６を覆う状態で、図示しないネジ等によって筐体５０に固定される。
【００５７】
その結果、筐体５０の内部の状態は、図７に示すような状態となる。この状態において、電線２１０に着目すると、電線２１０は、上述のように余剰分の長さを有している。そのため、電線２１０は、折りたたまれた（折り返された）状態で、筐体５０の内部に存在することになる。
【００５８】
従って、例えば図８に示す比較例におけるコネクタ５５０のように、電線２１０を、筐体５０の第一開口部５５側（つまり、第一端部カバー１７０側）に突出した状態で保持している場合、コネクタ５５０は、電線２１０から、基板１０１から離れる方向の力を受ける（引っ張られる）可能性が高い。
【００５９】
具体的には、コネクタ５５０から見た場合、コネクタ５５０から突出した電線２１０は、コネクタ５５０から比較的に近い位置で逆方向（第二端部カバー１８０側）に折り返した後に、さらに逆方向（第一端部カバー１７０側）に折り返して第一端部カバー１７０に向かう。その結果、コネクタ５５０は電線２１０から基板１０１から離れる方向に引っ張られ、例えば、コネクタ５５０と基板１０１とを接続するはんだに、基板１０１から剥がれる方向の負荷がかかる。これにより、コネクタ５５０と基板１０１との接続不良が生じることが考えられる。
【００６０】
この点に関し、本実施の形態に係る照明装置１０では、第一コネクタ１５０の第一保持部１５２は、図７に示すように、電線２１０を第一コネクタ１５０から第二開口部５６側に突出した状態で保持している。つまり、第一コネクタ１５０から見た場合、第一コネクタ１５０から突出した電線２１０は、第一コネクタ１５０から比較的に遠い位置で逆方向に折り返して、第一端部カバー１７０に向かう。そのため、第一コネクタ１５０は、電線２１０から、基板１０１に向かう方向の力を受けやすい状態であると言える。すなわち、図８に示すような、第一コネクタ１５０が、電線２１０から、基板１０１から持ち上げる方向に引っ張られる状態が生じる可能性は低い。なお、電線２１０と第一端部カバー１７０とが電気的に接続されているか否かに関わらず、電線２１０と第一端部カバー１７０とが機械的に接続されていれば、上記効果は奏される。
【００６１】
また、電線２１０の一部は、筐体５０の天面５９に当接することで、図７に示すように、基板１０１に向かう方向の力を筐体５０から受ける状態となる可能性が高い。その結果、第一コネクタ１５０は、筐体５０から、電線２１０を介して基板１０１に向かう方向の力を受ける。つまり、コネクタ５５０と基板１０１との接続不良が、より生じ難い状態が形成される。
【００６２】
［効果等］
以上説明したように、本実施の形態に係る照明装置１０は、長手方向の一端に第一開口部５５を有し、長手方向の他端に第二開口部５６を有する長尺状の筐体５０と、第一開口部５５に取り付けられた第一端部カバー１７０と、筐体５０に収容され、複数の発光素子１２１が配置された長尺状の基板１０１と、基板１０１の、第一開口部５５側の端部に配置された第一コネクタ１５０と、第一端部カバー１７０を介して第一コネクタ１５０と外部の機器とを電気的に接続する電線２１０とを備える。第一コネクタ１５０は、電線２１０の端部２１１を保持する第一保持部１５２であって、電線２１０を第一コネクタ１５０から第二開口部５６側に突出した状態で保持する第一保持部１５２を有する。
【００６３】
この構成によれば、電線２１０が長いために、筐体５０内で電線２１０が折りたたまれる状態になった場合でも、上述のように、電線２１０が、第一コネクタ１５０を基板１０１から持ち上げる方向に引っ張る可能性は低い。
【００６４】
これにより、本実施の形態のように、基板１０１の一部を第二開口部５６から露出させるために、電線２１０に余剰分を持たせた場合であっても、例えば、電線２１０が引っ張ることに起因する第一コネクタ１５０と基板１０１との接続不良の発生が抑制される。
【００６５】
すなわち、第一端部カバー１７０と第一コネクタ１５０とを電線２１０で接続した状態で、基板１０１の第二開口部５６側の端部に対する作業（本実施の形態では、電線２２０の端部２２１の、第二コネクタ１６０への挿入作業）を容易化することができる。さらに、当該作業を行った後に、基板１０１を筐体５０内の正規の位置に戻した場合に、電線２１０が、第一コネクタ１５０に不要な負荷を与える可能性が低減される。
【００６６】
以上のように、本実施の形態に係る照明装置１０は、長尺状の筐体５０と、複数の発光素子１２１が配置された長尺状の基板１０１とを備える照明装置１０であって、信頼性の高い照明装置１０である。
【００６７】
なお、仮に、筐体５０の、光源カバー５２を、本体部５１から取り外すことで、第一コネクタ１５０への電線２１０の端部２１１の挿入作業、及び、第二コネクタ１６０への電線２２０の端部２２１の挿入作業を可能とした場合を想定する。この場合、電線２１０及び２２０は、電気的な接続のための必要最小限の長さで足り、上述の、第一コネクタ１５０への不要な負荷の問題は生じない。しかしながら、本実施の形態のように、本体部５１の一部が、第一コネクタ１５０及び第二コネクタ１６０を覆うように存在する場合などでは、上記挿入作業が困難である。そのため、この場合、電線２１０を第一コネクタ１５０から第二開口部５６側に突出した状態で保持する構造は、例えば、製造効率及び製品の信頼性の向上の観点から有利である。
【００６８】
また、本実施の形態に係る照明装置１０では、例えば図３及び図７に示すように、第一保持部１５２は、電線２１０を第一コネクタ１５０から長手方向（Ｘ軸方向）に沿って、かつ、第二開口部５６側に突出した状態で保持する。
【００６９】
この構成によれば、例えば、第一保持部１５２への挿入口を、基板１０１を、一部が第二開口部５６から露出した状態から筐体５０内の正規の位置に戻す場合の移動方向と真逆（すなわち第二開口部５６の方向）に向けることができる。
【００７０】
これにより、電線２１０から第一コネクタ１５０に与えられる力が、第一コネクタ１５０を基板１０１から持ち上げる向きに作用する可能性、及び、第一コネクタ１５０を基板１０１と平行な面内で回転させる向きに作用する可能性が低減する。すなわち、電線２１０が筐体５０内で折りたたまれることに起因する、第一コネクタ１５０と基板１０１との接続不良の発生が、より確実に抑制される。
【００７１】
また、本実施の形態に係る照明装置１０において、電線２１０は、電線２１０の一部が、筐体５０の基板１０１に対向する内面（本実施の形態では天面５９）に当接した状態で配置されている。
【００７２】
この構成によれば、例えば図７に示すように、電線２１０は、基板１０１に向かう方向の力を筐体５０から受け、これにより、第一コネクタ１５０は、電線２１０を介して、筐体５０から基板１０１に向かう方向の力を受ける。つまり、構造上、第一コネクタ１５０は、電線２１０によって、基板１０１に向かう方向に押される状態に置かれる。これにより、例えば、第一コネクタ１５０と基板１０１との接続不良の発生が、より確実に抑制される。
【００７３】
また、本実施の形態に係る照明装置１０は、さらに、筐体５０の、第二開口部５６に取り付けられた第二端部カバー１８０と、基板１０１の、第二開口部５６側の端部に配置された第二コネクタ１６０と、第二端部カバー１８０を介して第二コネクタ１６０と外部の機器とを電気的に接続する電線２２０とを備える。第一端部カバー１７０は、受電部１７８を有し、複数の発光素子１２１は、第一コネクタ１５０を介して供給される、受電部１７８が受け取った電力を用いて発光する。第二端部カバー１８０は、第一端部カバー１７０から第一コネクタ１５０及び第二コネクタ１６０を介して供給される電力を外部に出力する出力部１８８を有する。
【００７４】
この構成によれば、照明装置１０は、第一端部カバー１７０を介して受け取った電力を用いて照明光を放出する。本実施の形態では、駆動回路１３０が、第一端部カバー１７０を介して受け取った交流電力を直流電力に変換し、発光部１２０に直流電力を供給することで、発光部１２０に含まれる複数の発光素子１２１が発光する。照明装置１０はさらに、第一端部カバー１７０を介して受け取った電力を、例えば外部の機器に供給することができる出力部１８８を第二端部カバー１８０に備えている。
【００７５】
つまり、本実施の形態に係る照明装置１０では、上述のように、照明装置１０の製造工程で、基板１０１の一部を筐体５０から出し入れした場合において、第一コネクタ１５０に電線２１０から不要な負荷がかかる可能性を抑制する構造を有している。そのため、例えば、筐体５０に挿入された基板１０１の、第二開口部５６側の端部を引き出すことで、第二コネクタ１６０への電線２２０の端部２２１の挿入を容易に行うことができる。従って、第一端部カバー１７０で受け取った電力を、発光モジュール１００の発光のために用いるとともに、第二端部カバー１８０を介して他の機器に供給する構造を有し、かつ、信頼性の高い照明装置１０を実現することができる。
【００７６】
また、本実施の形態に係る照明装置１０において、第二コネクタ１６０は、例えば図３及び図７に示すように、電線２２０の端部２２１を保持する第二保持部１６２を有する。第二保持部１６２は、電線２２０を第二コネクタ１６０から第一開口部５５側に突出した状態で保持する。
【００７７】
つまり、本実施の形態では、第一コネクタ１５０及び第二コネクタ１６０のそれぞれは、内向きに電線（２１０または２２０）を保持する構造を有している。
【００７８】
ここで、図４〜図６に示す手順で照明装置１０を組み立てる場合、第二コネクタ１６０は、電線２２０の端部２２１の挿入口（第二保持部１６２への挿入口）を、第二端部カバー１８０の側に向けていた方が、電線２２０の必要長さが短くなる、と言うことができる。また、このような姿勢で第二コネクタ１６０を配置した場合であっても、上述の第一コネクタ１５０に関する効果は奏される。つまり、第二コネクタ１６０の第二保持部１６２は、電線２２０を第二コネクタ１６０から第二開口部５６側に突出した状態で保持してもよい。
【００７９】
しかしながら、この場合、第二コネクタ１６０への電線２２０の端部２２１の挿入の作業性を考慮すると、電線２２０は、第二端部カバー１８０と第二コネクタ１６０との直線距離に対して余裕を持った長さが必要である。従って、第二コネクタ１６０に電線２２０の端部２２１を挿入した後に、基板１０１を、筐体５０内の正規の位置に戻し、かつ、第二端部カバー１８０を、第二開口部５６を覆う状態で筐体５０に固定した場合、電線２２０には撓み（湾曲）が生じる。その結果、例えば図８を用いて説明したように、電線２２０が、第二コネクタ１６０に、基板１０１から持ち上げる方向の力を与える可能性がある。
【００８０】
この点に関し、本実施の形態では、例えば図７に示すように、電線２２０が第二コネクタ１６０から第一開口部５５側に突出した状態で保持されるように第二コネクタ１６０を配置する。これにより、電線２２０が、第二コネクタ１６０を基板１０１から持ち上げる方向に引っ張る可能性は低い。従って、第二コネクタ１６０と基板１０１との接続不良の発生が抑制される。
【００８１】
また、本実施の形態における組み立て手順とは逆に、第二端部カバー１８０と基板１０１とを電線２２０で接続した後に、第一端部カバー１７０と基板１０１とを電線２１０で接続する場合を想定する。この場合、基板１０１の一部を第一開口部５５から露出させて、第一コネクタ１５０に電線２１０の端部２１１を挿入する必要がある。そのため、電線２２０は、第一コネクタ１５０が第一開口部５５から露出する程度の長さが必要である。その結果、組み立ての完了後には、電線２２０は、例えば図７に示す電線２１０のような折りたたまれた状態となる。この場合、電線２２０が第二コネクタ１６０から第一開口部５５側に突出した状態で保持されていることで、電線２２０が、第二コネクタ１６０を基板１０１から離れる方向に引っ張る可能性は低くなる。さらに、例えば、電線２２０の一部が筐体５０の天面５９に当接することで、第二コネクタ１６０は、筐体５０から、電線２２０を介して、基板１０１に向かう方向に押される状態に置かれる。これにより、例えば、第二コネクタ１６０と基板１０１との接続不良の発生が、より確実に抑制される。
【００８２】
また、本実施の形態では、基板１０１は、短手方向（Ｙ軸方向）に並んで配置された発光素子領域１０２と回路領域１０３とを有しており、第一コネクタ１５０は、回路領域１０３における、第一開口部５５側の端部に配置されている。また、第二コネクタ１６０は、回路領域１０３における、第二開口部５６側の端部に配置されている。
【００８３】
この構成によれば、基板１０１の長手方向に沿って設けられた発光素子領域１０２を消費せずに、第一コネクタ１５０及び第二コネクタ１６０が基板１０１に配置される。そのため、例えば、基板１０１の長手方向の端縁に近い位置に発光素子１２１を配置することができる。つまり、発光モジュール１００における発光部１２０の存在範囲を大きくすることができる。また、第一コネクタ１５０から電線２１０が内向きに突出している場合であっても、発光素子領域１０２と回路領域１０３とは、基板１０１の短手方向に並んでいるため、電線２１０に阻害されずに、発光部１２０からの光を照明装置１０の外部に放出させることができる。また、第二コネクタ１６０についても同じであり、電線２２０に阻害されずに、発光部１２０からの光を照明装置１０の外部に放出させることができる。
【００８４】
なお、本実施の形態に係る照明装置１０において、電線２１０は、一端が第一コネクタ１５０の第一保持部１５２に保持されており、他端が、第一端部カバー１７０から外部に露出していてもよい。
【００８５】
つまり、電線２１０は、第一端部カバー１７０と電気的に接続しておらず、第一端部カバー１７０を貫通した状態で配置されていてもよい。この場合、例えば、電線２１０の他端（筐体５０の外に出された端部）に、外部の機器と電気的に接続するための外部コネクタが備えられていてもよい。例えば、電力の供給元の機器から延設されたメス型のコネクタに挿入可能なオス型の外部コネクタが、電線２１０の他端に備えられていてもよい。また、外部コネクタの種類及び形状等に特に限定はなく、例えば、速結端子が外部コネクタとして採用されてもよい。また、電線２２０についても同様であり、電線２２０は、一端が第二コネクタ１６０の第二保持部１６２に保持されており、他端が、第二端部カバー１８０から外部に露出していてもよい。電線２１０の他端（筐体５０の外に出された端部）には、外部の機器と電気的に接続するための外部コネクタが備えられていてもよい。
【００８６】
このように、電線２１０及び電線２２０の少なくとも一方の端部が、筐体５０から外に出されていることで、例えば、隣り合う２つの照明装置１０の距離を開けた状態で、複数の照明装置１０を電気的に直列に接続することができる。また、例えば、複数の照明装置１０を、電気的に直列に接続し、かつ、環状に並べることもできる。
【００８７】
また、実施の形態に係る照明装置１０の構造は、図１〜図７によって示される構造に限定されない。例えば、照明装置１０が備える第一コネクタ１５０及び第二コネクタ１６０の構成または姿勢は、図２〜図７に示される構成または姿勢に限定されない。そこで、第一コネクタ１５０についての変形例を、実施の形態との差分を中心に、図９及び図１０を用いて説明する。なお、以下に示す第一コネクタ１５０についての変形例は、第二コネクタ１６０にも適用可能である。
【００８８】
（変形例１）
図９は、実施の形態の変形例１に係る照明装置１０ａの一部の構成を示す図である。具体的には、図９では、照明装置１０の、筐体５０の第一開口部５５側の端部が図示されている。
【００８９】
図９に示す照明装置１０ａは、基板１０１の、第一開口部５５側の端部に、第一コネクタ２５０を有している。第一コネクタ２５０は、電線２１０の端部２１１を保持する第一保持部２５２であって、電線２１０を第一コネクタ２５０から第二開口部５６側（図９における左側）に突出した状態で保持する第一保持部２５２を有する。この構成において、本変形例に係る照明装置１０ａは、実施の形態に係る照明装置１０と共通する。
【００９０】
しかし、本変形例に係る第一コネクタ２５０は、実施の形態に係る第一コネクタ１５０とは異なり、電線２１０を、基板１０１の長手方向（Ｘ軸方向）と平行ではなく、基板１０１から離れる向きに傾けて保持している。
【００９１】
このような姿勢で電線２１０が第一コネクタ２５０の第一保持部２５２に保持されている場合であっても、上記実施の形態と共通する構成を有するため、電線２１０が、第一コネクタ２５０を基板１０１から離れる方向に引っ張る可能性は低い。つまり、第一コネクタ２５０と基板１０１との接続不良の発生は抑制される。さらに、図９に示すように、電線２１０の一部が筐体５０の天面５９に当接することで、第一コネクタ２５０は、筐体５０から、電線２１０を介して、基板１０１に向かう方向に押される状態に置かれる。これにより、例えば、第一コネクタ２５０と基板１０１との接続不良の発生が、より確実に抑制される。
【００９２】
また、例えば、第一コネクタ２５０に比較的に近い位置に回路部品１３１が存在している場合であっても、電線２１０の端部２１１を、第一コネクタ２５０に対して斜め上方から挿入することができるため、回路部品１３１が挿入の邪魔になる可能性が低減される。
【００９３】
（変形例２）
図１０は、実施の形態の変形例２に係る照明装置１０ｂが備える発光モジュール１００の構成概要を示す平面図である。具体的には、図１０では、変形例２に係る発光モジュール１００の、第一コネクタ３５０が配置されている側の端部が図示されている。また、図１０における右側が、照明装置１０ｂが備える筐体５０の第一開口部５５側（例えば図２参照）に対応する。
【００９４】
図１０に示す照明装置１０ｂは、基板１０１の、第一開口部５５側（図１０における右側）の端部に、第一コネクタ３５０を有している。第一コネクタ３５０は、電線２１０の端部２１１を保持する第一保持部３５２であって、電線２１０を第一コネクタ３５０から第二開口部５６側（図９における左側）に突出した状態で保持する第一保持部３５２を有する。この構成において、本変形例に係る照明装置１０ｂは、実施の形態に係る照明装置１０と共通する。
【００９５】
しかし、本変形例に係る第一コネクタ３５０は、実施の形態に係る第一コネクタ１５０とは異なり、電線２１０を、基板１０１の長手方向（Ｘ軸方向）と平行ではなく、平面視において長手方向から離れる向きに傾けて保持している。
【００９６】
このような姿勢で電線２１０が第一コネクタ３５０の第一保持部３５２に保持されている場合であっても、上記実施の形態と共通する構成を有するため、電線２１０が、第一コネクタ３５０を基板１０１から離れる方向に引っ張る可能性は低い。つまり、第一コネクタ３５０と基板１０１との接続不良の発生は抑制される。
【００９７】
また、例えば、第一コネクタ３５０に比較的に近い位置に回路部品１３１が存在している場合であっても、電線２１０の端部２１１を、第一コネクタ３５０に対して斜め側方から挿入することができるため、回路部品１３１が挿入の邪魔になる可能性が低減される。
【００９８】
上記の変形例１及び２で説明したように、基板１０１の端部の第一コネクタは、電線２１０を、第一コネクタから第二開口部５６側に突出した状態で保持していればよく、突出の向きは長手方向と平行でなくてもよい。すなわち、筐体５０内において折りたたまれる（折り返される）状態となった電線２１０が、第一コネクタを基板１０１から離す方向に引っ張る可能性が低下するように、第一コネクタが配置されればよい。具体的には、第一コネクタからの電線２１０の突出方向が、第二開口部５６側（基板１０１の、第一コネクタが配置された端部とは反対の端部側）に向かう成分（実施の形態におけるＸ軸方向プラス向きの成分）を持つ姿勢で第一コネクタが配置されていればよい。第一コネクタがこの条件を満たすように配置されていることで、例えば、第一コネクタが、電線２１０を第一開口部５５側に突出した状態で保持する場合よりも、電線２１０が、第一コネクタを基板１０１から離す方向に引っ張る可能性は低くなる。
【００９９】
（その他）
以上、本発明に係る照明装置について、実施の形態及び変形例に基づいて説明したが、本発明は、上記の実施の形態及び変形例に限定されるものではない。
【０１００】
例えば、上記実施の形態および変形例１、２では、電線２１０の端部２１１に含まれる２本の芯線は、互いに平行な姿勢で第一保持部１５２（２５２、３５２）に保持されているが、これら２本の芯線は平行である必要はない。例えば、図１０において、端部２１１の２本の芯線の一方が、第一保持部３５０に対して斜め上から挿入され、かつ、２本の芯線の他方が斜め下から挿入されてもよい。この場合、第一保持部３５０が、２本の芯線を、上記のように非平行な姿勢で保持するよう構成されていればよい。
【０１０１】
また、例えば第一コネクタ１５０（２５２、３５２）が、２本の芯線のそれぞれに対応する別体のコネクタとして基板１０１に配置されていてもよい。つまり、例えば、第一コネクタ１５０が、接地側の芯線が接続されるコネクタと、非接地側の芯線が接続されるコネクタとで構成されてもよい。この場合、例えば、２つの芯線のそれぞれの、第一コネクタ１５０に保持された状態における姿勢の自由度が高くなる。
【０１０２】
また、例えば、筐体５０は、全体として角筒状の形状を有しているが、筐体５０の形状はこれに限られず、例えば丸筒状であってもよい。また、筐体５０は、本体部５１と光源カバー５２とで構成されているが、筐体５０は、筒状の単一の部材であってもよい。
【０１０３】
また、照明装置１０は、第二端部カバー１８０を介して外部からの電力を受け取り、かつ、第一端部カバー１７０を介して外部に電力を供給してもよい。また、照明装置１０が外部に電力を供給することは必須ではなく、第一端部カバー１７０及び第二端部カバー１８０の一方が、外部からの電力を受け取るための機能（受電機能）を有していればよい。例えば、第一端部カバー１７０のみが受電機能を有する場合、第二端部カバー１８０の他方は、主として筐体５０の第二開口部５６を塞ぐための部材として用いられてもよい。
【０１０４】
また、照明装置１０は、第一端部カバー１７０及び第二端部カバー１８０の両方を介して交流電力を受け取ってもよい。つまり、接地側電線を第一端部カバー１７０及び第二端部カバー１８０の一方に接続し、非接地側電線を第一端部カバー１７０及び第二端部カバー１８０の他方に接続することで、照明装置１０に交流電力が供給されてもよい。
【０１０５】
また、照明装置１０は、第一端部カバー１７０及び第二端部カバー１８０の少なくとも一方を介して直流電力を受け取ってもよい。この場合、駆動回路１３０は、交流電力を直流電力に変換する機能を有しなくてもよい。駆動回路１３０は、第一端部カバー１７０及び第二端部カバー１８０の少なくとも一方を介して受け取った直流電力を、複数の発光素子１２１（発光部１２０）の点灯に適した特性の直流電力に変換する機能のみを有してもよい。
【０１０６】
また、例えば、発光モジュール１００が有する発光素子１２１は、ＳＭＤ型ＬＥＤ素子であるとしたが、これに限らない。例えば、ベアチップが基板上に直接実装されたＣＯＢ（Ｃｈｉｐ  Ｏｎ  Ｂｏａｒｄ）型の発光モジュールが照明装置１０に備えられてもよい。
【０１０７】
この場合、例えば、複数のＬＥＤチップを一括または個別に封止する封止部材であって、上述の黄色蛍光体等の波長変換材を含む封止部材を配置することで、複数のＬＥＤチップからの光の波長を所定の波長に変換させてもよい。
【０１０８】
また、発光モジュール１００が発光素子１２１として採用とする固体発光素子はＬＥＤに限定されず、半導体レーザ、有機ＥＬ（Ｅｌｅｃｔｒｏ  Ｌｕｍｉｎｅｓｃｅｎｃｅ）、または無機ＥＬ等の固体発光素子が発光素子１２１として採用されてもよい。
【０１０９】
その他、実施の形態または変形例に対して当業者が思いつく各種変形を施して得られる形態や、本発明の趣旨を逸脱しない範囲で実施の形態または変形例における構成要素及び機能を任意に組み合わせることで実現される形態も本発明に含まれる。
【符号の説明】
【０１１０】
１０、１０ａ、１０ｂ  照明装置
５０  筐体
５５  第一開口部
５６  第二開口部
５８  基板配置面
５９  天面（内面）
１０１  基板
１０２  発光素子領域
１０３  回路領域
１２１  発光素子
１３１  回路部品
１５０、２５０、３５０  第一コネクタ
１５２、２５２、３５２  第一保持部
１６０  第二コネクタ
１６２  第二保持部
１７０  第一端部カバー
１７８  受電部
１８０  第二端部カバー
１８８  出力部
２１０、２２０  電線
２１１、２２１  端部
【図１】
2018085209.tif 000003
【図２】
2018085209.tif 000004
【図３】
2018085209.tif 000005
【図４】
2018085209.tif 000006
【図５】
2018085209.tif 000007
【図６】
2018085209.tif 000008
【図７】
2018085209.tif 000009
【図８】
2018085209.tif 000010
【図９】
2018085209.tif 000011
【図１０】
2018085209.tif 000012